(57)【特許請求の範囲】
【請求項１】
マンホールに開口する開口部を有し水が流される下水管に設けられ、上記下水管の開口部から挿入され拡径して下水管に嵌着するとともに縮径して嵌着が解除される止水本体と、該止水本体を貫通し下水管内の水をマンホール側に排出するための主管とを備えた下水管の止水栓装置において、
上記主管の出口側に該主管から分枝して設けられ下水管内の水を導出させるための副管を設け、該副管に該副管を開閉する副管開閉バルブを設けたことを特徴とする下水管の止水栓装置。
【請求項２】
上記主管の上記副管の分枝点よりも出口側に該主管を開閉する主管開閉バルブを設けたことを特徴とする請求項１記載の下水管の止水栓装置。
【請求項３】
上記主管を、上記止水本体側の第一主管と、該第一主管に着脱可能に接続される第二主管とを備えて構成し、該第二主管に上記副管を設けたことを特徴とする請求項１または２記載の下水管の止水栓装置。
【請求項４】
所要の間隔で設けられた複数のマンホールと、各隣接するマンホール間に接続され、上流側のマンホールに開口する上流側開口部及び下流側のマンホールに開口する下流側開口部を有し水が流される下水管とを備えた下水管施設に対して作業をする際、１つのマンホールを始点マンホールとし、該始点マンホールから下流側にある他の１つのマンホールを終点マンホールとし、上記始点マンホールと終点マンホールとの間を作業区間として設定し、上記始点マンホールに接続される上流側の下水管の下流側開口部側に止水栓装置を設け、該作業区間に流れ込む水を制御する下水管施設の作業用補助システムにおいて、
上記止水栓装置を、上記下水管の開口部から挿入され拡径して該開口部側に嵌着するとともに縮径して嵌着が解除される止水本体と、該止水本体を貫通し下水管内の水を上記始点マンホール側に排出するための主管と、該主管の出口側に該主管から分枝して設けられ下水管内の水を導出させるための副管とを設け、該副管に該副管を開閉する副管開閉バルブを設けて構成し、
吸入口及び吐出口を有したポンプ及び該ポンプを駆動する駆動源を地上に設置し、上記止水栓装置の主管の出口と上記ポンプの吸入口とを上記始点マンホールの開口を通る吸入パイプで接続し、上記ポンプの吐出口に排出パイプを接続し、該排出パイプの出口端を上記終点マンホールより下流側の下水管に水が流れるように配置したことを特徴とする下水管施設の作業用補助システム。
【請求項５】
上記止水栓装置において、上記主管の上記副管の分枝点よりも出口側に該主管を開閉する主管開閉バルブを設けたことを特徴とする請求項４記載の下水管施設の作業用補助システム。
【請求項６】
上記主管を、止水本体側の第一主管と、該第一主管に着脱可能に接続される第二主管とを備えて構成し、上記第二主管に上記副管を設けたことを特徴とする請求項４または５記載の下水管施設の作業用補助システム。
【請求項７】
上記ポンプを、圧縮空気により作動されるダイヤフラムポンプで構成し、上記駆動源を、液体燃料で駆動され上記ダイヤフラムポンプに圧縮空気を供給するコンプレッサで構成したことを特徴とする請求項４乃至６何れかに記載の下水管施設の作業用補助システム。
【請求項８】
上記始点マンホールに、上流側の下水管が複数接続された下水管施設の作業用補助システムであって、
上記各複数の下水管の下流側開口部側に、夫々、上記止水栓装置を設け、該各止水栓装置のうち何れか１つの止水栓装置をメイン止水栓装置とし、他をサブ止水栓装置として構成し、上記メイン止水栓装置の主管と上記ポンプとを接続し、上記メイン止水栓装置の主管の出口側に上記サブ止水栓装置の主管の出口を接続する接続管を設け、上記始点マンホールに接続された複数の上流側の下水管の水の排出を１台のポンプで行うことを可能にしたことを特徴とする請求項４乃至７何れかに記載の下水管施設の作業用補助システム。
【請求項９】
上記請求項４乃至７何れかに記載の下水管施設の作業用補助システムを用いて下水管施設の作業を行う下水管施設の作業方法において、
上記ポンプの駆動時に、上記止水栓装置の副管の副管開閉バルブを閉にし、該止水栓装置の主管を開放してポンプにより上記始点マンホールより上流側の下水管内の水を吸入し、上記終点マンホールより下流側の下水管に水を流し、
上記ポンプの停止時に、上記副管の出口に導出パイプを接続し、該導出パイプの出口端を上記始点マンホールに接続される下流側の下水管の上流側開口部を通して該下流側の下水管の下流側開口部側に配置し、若しくは、該下流側の下水管の下流側開口部を超えて更に下流側に配置し、上記副管の副管開閉バルブを開にして、上記終点マンホールより下流側の下水管に水を流すことを特徴とする下水管施設の作業方法。
【請求項１０】
上記請求項８に記載の下水管施設の作業用補助システムを用いて下水管施設の作業を行う下水管施設の作業方法において、
上記ポンプの駆動時に、上記メイン止水栓装置及びサブ止水栓装置の副管の副管開閉バルブを夫々閉にし、該メイン止水栓装置及びサブ止水栓装置の主管を開放してポンプにより上記始点マンホールより上流側の下水管内の水を吸入し、上記終点マンホールより下流側の下水管に水を流し、
上記ポンプの停止時に、上記メイン止水栓装置の副管の出口に導出パイプを接続し、該導出パイプの出口端を上記始点マンホールに接続される下流側の下水管の上流側開口部を通して該下流側の下水管の下流側開口部側に配置し、若しくは、該下流側の下水管の下流側開口部を超えて更に下流側に配置し、上記サブ止水栓装置の副管の副管開閉バルブを閉にしたまま、上記メイン止水栓装置の副管の副管開閉バルブを開にし、上記始点マンホールに接続された複数の上流側の下水管の水をメイン止水栓装置の副管に集約して上記終点マンホールより下流側の下水管に水を流すことを特徴とする下水管施設の作業方法。
【発明の詳細な説明】
【技術分野】
【０００１】
本発明は、複数のマンホール間に下水管を接続した下水管設備の点検，清掃，補修，交換等の作業を行なう際に、下水管の開口部を一時的に閉塞して水が作業箇所に及ばないようにする下水管の止水栓装置、これを用いた下水管施設の作業用補助システム及び下水管施設の作業方法に関する。
【背景技術】
【０００２】
一般に、下水管施設は、図１０に示すように、所要の間隔で設けられた複数のマンホールＭと、各隣接するマンホールＭ間に接続され、上流側のマンホールＭに開口する上流側開口部Ｇａ及び下流側のマンホールに開口する下流側開口部Ｇｂを有し水が流される下水管Ｇとを備えて構成されている。このような下水管施設においては、マンホールＭや下水管Ｇの点検や清掃作業を行ったり、亀裂や腐食などの破損があるような場合には、補修や交換等の作業を行なう。このような下水管施設に対して作業をする際には、必要に応じ、作業場所に下水管Ｇから水が流れ込まないようにする下水管施設の作業用補助システムを用いる。
【０００３】
従来、この種の下水管施設の作業用補助システムとしては、例えば、特開平９−２３６１９２号公報（特許文献１）に記載された技術が知られている。
図１０に示すように、この下水管施設の作業用補助システムＳａは、１つのマンホールＭを始点マンホールＭ（Ｘ）とし、この始点マンホールＭ（Ｘ）から下流側にある他の１つのマンホールＭを終点マンホールＭ（Ｙ）とし、始点マンホールＭ（Ｘ）と終点マンホールＭ（Ｙ）との間を作業区間として設定し、始点マンホールＭ（Ｘ）に接続される上流側の下水管Ｇ（Ｘ）の下流側開口部Ｇｂに止水栓装置１００を設け、この作業区間に流れ込む水を制御する。
この作業用補助システムＳａで用いられる止水栓装置１００は、従来、図１０に示すように、下水管Ｇの開口部Ｇｂに挿入され拡径して開口部Ｇｂに嵌着するとともに縮径して嵌着が解除される止水本体１０１と、止水本体１０１を貫通し下水管Ｇ内の水を始点マンホールＭ（Ｘ）側に排出するための貫通管１０２とを備えて構成されている。止水本体１０１は、例えば、空気の注入により膨らんで拡径し下水管Ｇの開口部Ｇｂに嵌着するとともに空気の排気により縮径して嵌着が解除される袋体１０３を備えている。
また、この作業用補助システムＳａにおいては、電動で駆動されるギヤポンプやベーンポンプからなる電動ポンプ１１０を地上に設置し、止水栓装置１００の貫通管１０２の出口と電動ポンプ１１０の吸入口とを始点マンホールＭ（Ｘ）の開口を通る吸入パイプ１１１で接続し、ポンプ１１０の吐出口に排出パイプ１１２を接続し、この排出パイプ１１２の出口端を終点マンホールＭ（Ｙ）より下流側の下水管Ｇ（Ｙ）に水が流れるように配置している。
【０００４】
そして、例えば、始点マンホールＭ（Ｘ）と下流側の終点マンホールＭ（Ｙ）との間の下水管Ｇが破損して、これの補修や交換を行う作業を行うときは、先ず、始点マンホールＭ（Ｘ）に接続される上流側の下水管Ｇ（Ｘ）の下流側開口部Ｇｂに止水栓装置１００を挿入し、コンプレッサ１１３によりこの止水栓装置１００に空気を送給して袋体１０３に注入し膨らませて拡径させて止水本体１０１を下水管Ｇの開口部Ｇｂに嵌着する。それから貫通管１０２に吸入パイプ１１１を接続し、この吸入パイプ１１１を電動ポンプ１１０に接続するとともに、電動ポンプ１１０に排出パイプ１１２を接続し、この排出パイプ１１２の出口端を終点マンホールＭ（Ｙ）より下流側の下水管Ｇ（Ｙ）に配置する。
この状態で、電動ポンプ１１０を作動させると、上流側の下水管Ｇ（Ｘ）は止水栓装置１００で止水されているので、上流側の下水管Ｇ（Ｘ）に流れる水は電動ポンプ１１０で吸引されて、終点マンホールＭ（Ｙ）より下流側の下水管Ｇ（Ｙ）に吐出されて流される。これにより、作業区間には水が流れないので、作業区間の破損した下水管Ｇを水の影響を受けることなく交換することができる。
【０００５】
この補修等の作業においては、その作業が数日に亘ることがあり、その場合には、夜間などに作業の中断期間を設けるが、この中断中は、常時電動ポンプ１１０を作動させておく。あるいは、騒音の問題や、無人になって電動ポンプ１１０の故障があれば上流側で水が溢れ出す問題もあるので、このようなことが懸念されるときは、電動ポンプ１１０を止めるとともに、作業員により、止水栓装置１００の貫通管１０２の出口１０２ａから吸入パイプ１１１を取り外し、別のパイプ(図示せず)を装着して、このパイプの出口端を始点マンホールＭ（Ｘ）に接続される下流側の下水管Ｇ（補修等の作業に係る下水管Ｇ）の上流側開口部Ｇａを通してこの下流側の下水管Ｇの下流側開口部Ｇｂ側に配置し、若しくは、下流側の下水管Ｇの下流側開口部Ｇｂを超えて更に下流側に配置し、終点マンホールＭ（Ｘ）より下流側の下水管Ｇ（Ｙ）に水を流すようにすることも行う。また、作業を再開するときには、別のパイプと吸入パイプ１１１を交換する。
補修等の作業が終了したならば、電動ポンプ１１０を停止し、止水栓装置１００の袋体１０３から空気を抜いて止水本体１０１を縮径し開口部Ｇｂへの嵌着を解除して取り外す。
【先行技術文献】
【特許文献】
【０００６】
【特許文献１】特開平９−２３６１９２号公報
【発明の概要】
【発明が解決しようとする課題】
【０００７】
ところで、上記従来の下水管施設の作業用補助システムＳａにあっては、作業の中断期間中、電動ポンプ１１０を止めて、止水栓装置１００の貫通管１０２の出口から吸入パイプ１１１を取り外し、別のパイプ（図示せず）を装着して、終点マンホールＭ（Ｙ）より下流側の下水管Ｇ（Ｙ）に水を流すことも行うが、この際、吸入パイプ１１１を取り外したときに、貫通管１０２の出口１０２ａから水が噴き出すので、パイプの交換作業がやりにくく、作業性に劣るという問題があった。また、作業再開時において、別のパイプから吸入パイプ１１１に取り換えるときも、同様の問題が生じる。
更に、補修等の作業が終了して止水栓装置１００を取り出す際にも、止水本体１０１を縮径し開口部Ｇｂへの嵌着を解除すると、溜まっていた上流側の水がいっきに下流側に流れ出すことがあるので安全上好ましくないという問題もある。この場合、止水栓装置１００を外す前に、先に、貫通管１０２から吸入パイプ１１１のみを外して貫通管１０２から水を流して上流側の水の水位を下げ、それから、止水栓装置１００を外すことを行うこともあるが、この場合にも、吸入パイプ１１１を取り外したときに、貫通管１０２の出口１０２ａから水が噴き出すので、作業員に悪影響を及ぼすことがあるという問題があった。
【０００８】
また、従来においては、電動ポンプ１１０であることから、漏電の懸念があるとともに、ギヤポンプやベーンポンプからなることから、吸入する水中に混入したエアの影響により、吸入不良を生じることがあるという問題がある。この場合、特に、無人になる場合には、上流側で水が溢れ出す問題も生じる。
有人の場合には、電動ポンプ１１０の復帰作業を即座に行えばよいが、この復帰させるのに、電動ポンプ１１０側から所謂呼び水を注入して吸入パイプ１１１に水を満たして電動ポンプ１１０を始動させることも行うことがあり、この場合には作業が煩雑になってしまうという問題もある。
【０００９】
本発明は上記の問題点に鑑みて為されたもので、ポンプの停止時に、下水管の開口部に装着した止水栓装置から下水管内の水を作業員に影響を与えないように下流側に流出させることができるようにして、作業性の向上を図った下水管の止水栓装置、下水管施設の作業用補助システム及び下水管施設の作業方法を提供することを目的とする。
また、下水管施設の作業用補助システム及び下水管施設の作業方法においては、必要に応じ、漏電の懸念を払拭するとともに、ポンプが吸入したエアによる吸入不良を生じる事態を抑制し、安定した運転を行うことができるようにすることも課題とした。
【課題を解決するための手段】
【００１０】
このような目的を達成するための本発明の下水管の止水栓装置は、マンホールに開口する開口部を有し水が流される下水管に設けられ、上記下水管の開口部から挿入され拡径して下水管に嵌着するとともに縮径して嵌着が解除される止水本体と、該止水本体を貫通し下水管内の水をマンホール側に排出するための主管とを備えた下水管の止水栓装置において、上記主管の出口側に該主管から分枝して設けられ下水管内の水を導出させるための副管を設け、該副管に該副管を開閉する副管開閉バルブを設けた構成としている。
【００１１】
これにより、マンホールやマンホールより下流側の下水管に対して、例えば、点検や清掃作業を行ったり補修や交換等の作業を行なう場合には、マンホールに接続された上流側の下水管の開口部からこの止水栓装置を挿入し、止水本体を拡径して嵌着する。そして、地上に設置したポンプと主管の出口とをマンホールを通して吸入パイプで接続し、副管の開閉バルブを閉じる。この状態で、ポンプを駆動すると、上流側の下水管に流れる水はポンプで吸引されて排出され、下流側の下水管には水が流れないので、水の影響を受けることなく作業を行うことができる。
【００１２】
この補修等の作業においては、その作業が数日に亘ることがあり、その場合には、夜間などに作業の中断期間を設けるが、この中断の際は、作業員により、ポンプを停止するとともに、例えば、止水栓装置の副管に別のパイプを接続して、この別のパイプの出口端をマンホールより下流側の下水管を通して作業に係る部位よりも下流側に配置し、副管の副管開閉バルブを開にして、この作業に係る部位よりも下流側に水を流すようにする。これにより、ポンプを停止しても、止水栓装置を設けた下水管の水を作業部位に影響を与えることなく下流側に流すことができる。そのため、常時ポンプを作動させておく場合に比較して、騒音の問題がなく、また、ポンプの故障によって上流側で水が溢れ出す事態もなく、安全に作業の中断を行うことができる。
【００１３】
そして、この中断作業は、副管の副管開閉バルブを開にする操作によるので、従来のように止水栓装置から水が噴き出して作業員に振り掛ることがなく、そのため、作業が極めてやり易くなり、作業性が向上させられる。
また、作業を再開するときには、副管の副管開閉バルブを閉にして、別のパイプを取り外し、それから、ポンプを駆動する。この場合も、副管の副管開閉バルブを閉にする操作によるので、従来のように止水栓装置から水が噴き出して作業員に振り掛ることがなく、そのため、作業が極めてやり易くなり、作業性が向上させられる。
【００１４】
補修等の作業が終了したならば、ポンプを停止し、止水栓装置を取り外す。この場合には、先ず、止水栓装置の副管に別のパイプを接続して、この別のパイプの出口端をマンホールより下流側の下水管に配置し、あるいは、条件によっては別のパイプを接続することなく、副管の副管開閉バルブを開にする。これにより、止水栓装置を設けた下水管の水を下流側に流すことができ、その水位を下げることができる。次に、止水栓装置の止水本体を縮径し開口部の嵌着を解除し、止水栓装置を下水管から取り外す。この場合、下水管の水位を下げてから止水栓装置を取り外すので、溜まっていた上流側の水がいっきに下流側に流れ出すことがなく、そのため、作業員の安全が確保される。また、副管の副管開閉バルブを開にして下水管の水位を下げるので、従来のように、止水栓装置から水が噴き出して作業員に振り掛ることがなく、そのため、作業が極めてやり易くなり、作業性が向上させられる。
【００１５】
そして、必要に応じ、上記主管の上記副管の分枝点よりも出口側に該主管を開閉する主管開閉バルブを設けた構成としている。これにより、図６に示すように、主管閉−副管閉（Ｓ１），主管開−副管閉（Ｓ２），主管閉−副管開（Ｓ３），主管開−副管開（Ｓ４）の４通りの設定を取りうる。そのため、主管閉−副管閉（Ｓ１）を取りうるので、例えば、水の排出は行わないで、下水管の止水のみを行いたい場合に対応できるようになる。また、主管開−副管閉（Ｓ２）の設定により、上記のポンプの駆動によるマンホール外への水の排出を行うことができる。更に、主管閉−副管開（Ｓ３）または主管開−副管開（Ｓ４）の設定により、上記のように、ポンプを停止させて副管を通して水を下流側に逃がすことができる。
【００１６】
また、必要に応じ、上記主管を、上記止水本体側の第一主管と、該第一主管に着脱可能に接続される第二主管とを備えて構成し、該第二主管に上記副管を設けた構成としている。これにより、副管を備えた第二主管を第一主管に装着するので、従来の既存の止水栓装置の貫通管を第一主管とすれば、この既存の止水栓装置を本発明に係る止水栓装置に容易に改変する事ができ、そのため、汎用性を増加させることができる。また、第一主管と第二主管との間に延長パイプを設けることができるので、主管の長さを容易に変えることができることから、設置条件に合わせて止水栓装置を用いることができ、この点でも汎用性を増加させることができる。
【００１７】
また、上記目的を達成するため本発明の下水管施設の作業用補助システムは、所要の間隔で設けられた複数のマンホールと、各隣接するマンホール間に接続され、上流側のマンホールに開口する上流側開口部及び下流側のマンホールに開口する下流側開口部を有し水が流される下水管とを備えた下水管施設に対して作業をする際、１つのマンホールを始点マンホールとし、該始点マンホールから下流側にある他の１つのマンホールを終点マンホールとし、上記始点マンホールと終点マンホールとの間を作業区間として設定し、上記始点マンホールに接続される上流側の下水管の下流側開口部側に止水栓装置を設け、該作業区間に流れ込む水を制御する下水管施設の作業用補助システムにおいて、
上記止水栓装置を、上記下水管の開口部から挿入され拡径して該開口部側に嵌着するとともに縮径して嵌着が解除される止水本体と、該止水本体を貫通し下水管内の水を上記始点マンホール側に排出するための主管と、該主管の出口側に該主管から分枝して設けられ下水管内の水を導出させるための副管とを設け、該副管に該副管を開閉する副管開閉バルブを設けて構成し、
吸入口及び吐出口を有したポンプ及び該ポンプを駆動する駆動源を地上に設置し、上記止水栓装置の主管の出口と上記ポンプの吸入口とを上記始点マンホールの開口を通る吸入パイプで接続し、上記ポンプの吐出口に排出パイプを接続し、該排出パイプの出口端を上記終点マンホールより下流側の下水管に水が流れるように配置した構成としている。
【００１８】
これにより、設定した作業区間において、マンホールや下水管に対して、例えば、点検や清掃作業を行ったり補修や交換等の作業を行なう場合には、始点マンホールに接続された上流側の下水管の開口部から止水栓装置を挿入し、止水本体を拡径して開口部側に嵌着する。そして、地上に設置したポンプと主管の出口とをマンホールを通して吸入パイプで接続し、副管の開閉バルブを閉じ、ポンプを駆動する。この場合、始点マンホールに接続された上流側の下水管に流れる水は吸入パイプを通ってポンプで吸引され、排出パイプを通って排出され、終点マンホールより下流側の下水管に流される。そのため、作業区間には水が流れないので、水の影響を受けることなく作業を行うことができる。
【００１９】
この補修等の作業においては、その作業が数日に亘ることがあり、その場合には、夜間などに作業の中断期間を設けるが、この中断の際は、作業員により、ポンプを停止するとともに、例えば、止水栓装置の副管に別のパイプを接続して、この別のパイプの出口端を始点マンホールより下流側の下水管を通して作業に係る部位よりも下流側に配置し、副管の副管開閉バルブを開にして、この作業に係る部位よりも下流側に水を流すようにする。これにより、ポンプを停止しても、止水栓装置を設けた下水管の水を作業部位に影響を与えることなく下流側に流すことができる。そのため、常時ポンプを作動させておく場合に比較して、騒音の問題がなく、また、ポンプの故障によって上流側で水が溢れ出す事態もなく、安全に作業の中断を行うことができる。
【００２０】
そして、この中断作業は、副管の副管開閉バルブを開にする操作によるので、従来のように止水栓装置から水が噴き出して作業員に振り掛ることがなく、そのため、作業が極めてやり易くなり、作業性が向上させられる。
また、作業を再開するときには、副管の副管開閉バルブを閉にして、別のパイプを取り外し、それから、ポンプを駆動する。この場合も、副管の副管開閉バルブを閉にする操作によるので、従来のように止水栓装置から水が噴き出して作業員に振り掛ることがなく、そのため、作業が極めてやり易くなり、作業性が向上させられる。
【００２１】
補修等の作業が終了したならば、ポンプを停止し、止水栓装置を取り外す。この場合には、先ず、止水栓装置の副管に別のパイプを接続して、この別のパイプの出口端を始点マンホールより下流側の下水管に配置し、あるいは、条件によっては別のパイプを接続することなく、副管の副管開閉バルブを開にする。これにより、止水栓装置を設けた下水管の水を下流側に流すことができ、その水位を下げることができる。次に、止水栓装置の止水本体を縮径し開口部の嵌着を解除し、止水栓装置を下水管から取り外す。この場合、下水管の水位を下げてから止水栓装置を取り外すので、溜まっていた上流側の水がいっきに下流側に流れ出すことがなく、そのため、作業員の安全が確保される。また、副管の副管開閉バルブを開にして下水管の水位を下げるので、従来のように、止水栓装置から水が噴き出して作業員に振り掛ることがなく、そのため、作業が極めてやり易くなり、作業性が向上させられる。
【００２２】
そして、必要に応じ、上記止水栓装置において、上記主管の上記副管の分枝点よりも出口側に該主管を開閉する主管開閉バルブを設けた構成としている。これにより、図６に示すように、主管閉−副管閉（Ｓ１），主管開−副管閉（Ｓ２），主管閉−副管開（Ｓ３），主管開−副管開（Ｓ４）の４通りの設定を取りうる。そのため、主管閉−副管閉（Ｓ１）を取りうるので、例えば、水の排出は行わないで、下水管の止水のみを行いたい場合に対応できるようになる。また、主管開−副管閉（Ｓ２）の設定により、上記のポンプの駆動によるマンホール外への水の排出を行うことができる。更に、主管閉−副管開（Ｓ３）または主管開−副管開（Ｓ４）の設定により、上記のように、ポンプを停止させて副管を通して水を下流側に逃がすことができる。
【００２３】
また、必要に応じ、上記主管を、上記止水本体側の第一主管と、該第一主管に着脱可能に接続される第二主管とを備えて構成し、該第二主管に上記副管を設けた構成としている。これにより、副管を備えた第二主管を第一主管に装着するので、従来の既存の止水栓装置の貫通管を第一主管とすれば、この既存の止水栓装置を本発明に係る止水栓装置に容易に改変する事ができ、そのため、汎用性を増加させることができる。また、第一主管と第二主管との間に延長パイプを設けることができるので、主管の長さを容易に変えることができることから、設置条件に合わせて止水栓装置を用いることができ、この点でも汎用性を増加させることができる。
【００２４】
更に、必要に応じ、上記ポンプを、圧縮空気により作動されるダイヤフラムポンプで構成し、上記駆動源を、液体燃料で駆動され上記ダイヤフラムポンプに圧縮空気を供給するコンプレッサで構成している。これにより、ダイヤフラムポンプなので、ギヤポンプやベーンポンプに比較して、吸入する水中に混入したエアの影響により、吸入不良を生じる事態を抑制することができ、安定した運転を行うことができるようになる。そのため、ポンプが停止して上流側で水が溢れ出す事態を抑制できる。また、ダイヤフラムポンプなので、その始動の際も、ポンプ側から所謂呼び水を注入して吸入パイプに水を満たしてポンプを始動させることを行わなくても良くなり、作業が煩雑になってしまう事態を防止することができる。更に、電気を使用しないで水の吸入，排出を行うことができるので、漏電の懸念を払拭することができ、安全性を向上させることができる。
【００２５】
更にまた、必要に応じ、上記始点マンホールに、上流側の下水管が複数接続された下水管施設の作業用補助システムであって、上記各複数の下水管の下流側開口部側に、夫々、上記止水栓装置を設け、該各止水栓装置のうち何れか１つの止水栓装置をメイン止水栓装置とし、他をサブ止水栓装置として構成し、上記メイン止水栓装置の主管と上記ポンプとを接続し、上記メイン止水栓装置の主管の出口側に上記サブ止水栓の主管の出口を接続する接続管を設け、上記始点マンホールに接続された複数の上流側の下水管の水の排出を１台のポンプで行うことを可能にした構成としている。
【００２６】
これにより、ポンプの駆動時に、メイン止水栓装置及びサブ止水栓装置の副管の副管開閉バルブを夫々閉にし、メイン止水栓装置及びサブ止水栓装置の主管を開放してポンプによって始点マンホールより上流側の下水管内の水を吸入し、終点マンホールより下流側の下水管に水を流す。この場合、始点マンホールに、上流側の下水管が複数接続されていて、複数の止水栓装置を用いても、１台のポンプで、水の吸引，排出を行うことができるので、システムを簡略化し、省力化を図ることができる。
また、ポンプの停止時には、例えば、メイン止水栓装置の副管の出口に導出パイプを接続し、導出パイプの出口端を始点マンホールに接続される下流側の下水管の上流側開口部を通してこの下流側の下水管の下流側開口部側に配置し、若しくは、下流側の下水管の下流側開口部を超えて更に下流側に配置し、サブ止水栓装置の副管の副管開閉バルブを閉にしたまま、メイン止水栓装置の副管の副管開閉バルブを開にし、始点マンホールに接続された複数の上流側の下水管の水をメイン止水栓装置の副管に集約して終点マンホールより下流側の下水管に水を流すようにする。そのため、システムが簡略化し、水の排出効率を向上させることができる。他の作用，効果は上記と同様である。
【００２７】
そしてまた、上記目的を達成するため、本発明の下水管施設の作業方法は、上記の下水管施設の作業用補助システムを用いて下水管施設の作業を行う下水管施設の作業方法において、上記ポンプの駆動時に、上記止水栓装置の副管の副管開閉バルブを閉にし、該止水栓装置の主管を開放してポンプにより上記始点マンホールより上流側の下水管内の水を吸入し、上記終点マンホールより下流側の下水管に水を流し、上記ポンプの停止時に、上記副管の出口に導出パイプを接続し、該導出パイプの出口端を上記始点マンホールに接続される下流側の下水管の上流側開口部を通して該下流側の下水管の下流側開口部側に配置し、若しくは、該下流側の下水管の下流側開口部を超えて更に下流側に配置し、上記副管の副管開閉バルブを開にして、上記終点マンホールより下流側の下水管に水を流す構成としている。上記と同様の作用，効果を奏する。
【００２８】
また、上記目的を達成するため、本発明の下水管施設の作業方法は、上記記載の始点マンホールに、上流側の下水管が複数接続された下水管施設において、メイン止水栓装置とサブ止水栓装置とを備えた下水管施設の作業用補助システムを用いて下水管施設の作業を行う下水管施設の作業方法において、
上記ポンプの駆動時に、上記メイン止水栓装置及びサブ止水栓装置の副管の副管開閉バルブを夫々閉にし、該メイン止水栓装置及びサブ止水栓装置の主管を開放してポンプにより上記始点マンホールより上流側の下水管内の水を吸入し、上記終点マンホールより下流側の下水管に水を流し、
上記ポンプの停止時に、上記メイン止水栓装置の副管の出口に導出パイプを接続し、該導出パイプの出口端を上記始点マンホールに接続される下流側の下水管の上流側開口部を通して該下流側の下水管の下流側開口部側に配置し、若しくは、該下流側の下水管の下流側開口部を超えて更に下流側に配置し、上記サブ止水栓装置の副管の副管開閉バルブを閉にしたまま、上記メイン止水栓装置の副管の副管開閉バルブを開にし、上記始点マンホールに接続された複数の上流側の下水管の水をメイン止水栓装置の副管に集約して上記終点マンホールより下流側の下水管に水を流す構成としている。上記と同様の作用，効果を奏する。
【発明の効果】
【００２９】
本発明によれば、副管の開閉バルブの操作により、ポンプの駆動時は勿論のこと、ポンプの停止時に、下水管の開口部側に装着した止水栓装置から下水管内の水を作業員に影響を与えないように下流側に流出させることができるようになり、作業性の向上を図ることができる。また、本発明の下水管施設の作業用補助システム及び下水管施設の作業方法において、ポンプを、圧縮空気により作動されるダイヤフラムポンプで構成し、駆動源を、液体燃料で駆動されダイヤフラムポンプに圧縮空気を供給するコンプレッサで構成した場合には、漏電の懸念を払拭するとともに、ポンプが吸入したエアによる吸入不良を生じる事態を抑制し、安定した運転を行うことができるようになる等、種々の効果を奏する。
【図面の簡単な説明】
【００３０】
【図１】本発明の実施の形態に係る下水管施設の作業用補助システムをポンプの駆動状態で示す図である。
【図２】本発明の実施の形態に係る下水管施設の作業用補助システムをポンプの停止状態で示す図である。
【図３】本発明の実施の形態に係る下水管施設の作業用補助システムにおいてこれに用いられる実施の形態に係る止水栓装置をその取付け状態とともに示す図である。
【図４】本発明の実施の形態に係る下水管施設の作業用補助システムにおいてこれに用いられる実施の形態に係る止水栓装置を示す図である。
【図５】本発明の実施の形態に係る止水栓装置に用いられるアダプタ及びカプラの基本構造を示す斜視図である。
【図６】本発明の実施の形態に係る止水栓装置の主管開閉バルブと副管開閉バルブの開閉の組合せを示す表図である。
【図７】本発明の実施の形態に係る下水管施設の作業用補助システムにおいてこれに用いられるダイヤフラムポンプの原理を示す図である。
【図８】本発明の実施の形態に係る下水管施設の作業用補助システムの変形例を示す図である。
【図９】本発明の実施の形態に係る下水管施設の作業用補助システムの別の変形例を示す図である。
【図１０】従来の下水管施設の作業用補助システムの一例を示す図である。
【発明を実施するための形態】
【００３１】
以下、添付図面に基づいて、本発明の実施の形態に係る下水管の止水栓装置、下水管施設の作業用補助システム及び下水管施設の作業方法について説明する。本下水管の止水栓装置は、本下水管施設の作業用補助システムに用いられ、本下水管施設の作業方法は本作業用補助システムにより実現されるので、実施の形態に係る作業用補助システムにおいて説明する。尚、上記と同様のものには同一の符号を付して説明する。
【００３２】
図１及び図２に示すように、実施の形態に係る作業用補助システムＳが適用される下水管設備は、所要の間隔で設けられた複数のマンホールＭと、各隣接するマンホールＭの下端間に接続され、上流側のマンホールＭに開口する上流側開口部Ｇａ及び下流側のマンホールＭに開口する下流側開口部Ｇｂを有し水が流される下水管Ｇとを備えて構成されている。
このような下水管施設においては、マンホールＭや下水管Ｇの点検や清掃作業を行ったり、亀裂や腐食などの破損があるような場合には、補修や交換等の作業を行なう。実施の形態に係る作業用補助システムＳは、この下水管施設に対してこのような作業をする際に用いられる。この作業においては、１つのマンホールＭを始点マンホールＭ（Ｘ）とし、始点マンホールＭ（Ｘ）から下流側にある他の１つのマンホールＭを終点マンホールＭ（Ｙ）とし、この始点マンホールＭ（Ｘ）と終点マンホールＭ（Ｙ）との間を作業区間として設定している。始点マンホールＭ（Ｘ）と終点マンホールＭ（Ｙ）との間に、１つ若しくは複数のマンホールＭがあっても良い。実施の形態に係る作業用補助システムＳにおいては、始点マンホールＭ（Ｘ）に接続される上流側の下水管Ｇ（Ｘ）の下流側開口部Ｇｂ側に実施の形態に係る止水栓装置１を設け、作業区間に流れ込む水を制御する。
【００３３】
実施の形態に係る止水栓装置１は、図１乃至図５に示すように、下水管Ｇの開口部Ｇｂから挿入され拡径して開口部Ｇｂ側に嵌着するとともに縮径して嵌着が解除される止水本体２と、止水本体２を貫通し下水管Ｇ内の水を始点マンホールＭ（Ｘ）側に排出するための主管３とを備えている。止水本体２は、環状で主管３が貫通して設けられるコア部材４と、このコア部材４に外嵌して設けられ空気の注入により膨らんで拡径し下水管Ｇの開口部Ｇｂに嵌着するとともに空気の排気により縮径して嵌着が解除される袋体５とを備えている。図３及び図４中符号６は、コア部材４に設けられ袋体５に空気を供給するためのノズルである。図１及び図２に示すように、ノズル６には空気管７が接続され、例えば、後述のコンプレッサ３０から空気が供給される。また、ノズル６を通して袋体５内の排気も行われる。
【００３４】
主管３は、止水本体２側の第一主管３Ａと、この第一主管３Ａに着脱可能に接続される第二主管３Ｂとを備えて構成されている。第一主管３Ａと第二主管３Ｂとの着脱は、周知のアダプタ１０とカムレバー式のカプラ１１とで行われる。図５に示すように、アダプタ１０は円筒状に形成されその外周に溝１２が形成されている。カプラ１１は、アダプタ１０が内挿される挿通孔１３を有し、内挿されたアダプタ１０の溝１２に回動させられて係合してアダプタ１０を結合状態でロックするカム部１３を有する一対のレバー１４を備えて構成されている。第一主管３Ａの出口側にアダプタ１０が形成され、第二主管３Ｂの入口側にカプラ１１が設けられる。アダプタ１０とカプラ１１との間には、図９に示すように、一端にカプラ１１を有し他端にアダプタ１０を有した延長パイプ８が接続可能になっている。
【００３５】
第二主管３ＢはＬ字状に折曲されており、アダプタ１０が設けられた直状の一方部１５と、一方部１５に直角に連設される他方部１６とを備えて構成されている、他方部１６の出口側には上記と同様のアダプタ１０とカプラ１１とで接続された出口管１７が設けられている。出口管１７の出口側にアダプタ１０が形成されており、後述の吸入パイプ３１の入口に設けられたカプラ１１に接続可能になっている。
【００３６】
また、主管３の出口側、具体的には、第二主管３Ｂの一方部１５と他方部１６の接続部には、一方部１５と同軸で下水管Ｇ内の水を導出させるための副管１８が分枝して設けられている。副管１８の出口１８ａの外周は、後述する導出パイプ３３が被嵌されて取り付けられるように所謂タケノコ状に形成されている。第二主管３ＢをＬ字状に折曲したので、互いに直角の関係に配置される下水管ＧとマンホールＭに対応して止水栓装置１を配置できる。
【００３７】
そして、主管３の副管１８の分枝点１９よりも出口側でカプラ１１より分枝点１９側には、主管３を開閉する主管開閉バルブＶａが設けられている。一方、副管１８には、副管１８を開閉する副管開閉バルブＶｂが設けられている。主管開閉バルブＶａ及び副管開閉バルブＶｂは、いずれも周知のレバー操作による手動開閉型のバルブである。この主管開閉バルブＶａ及び副管開閉バルブＶｂの開閉により、図６に示すように、主管３閉−副管１８閉（Ｓ１），主管３開−副管１８閉（Ｓ２），主管３閉−副管１８開（Ｓ３），主管３開−副管１８開（Ｓ４）の４通りの設定を取りうる。そのため、主管３閉−副管１８閉（Ｓ１）を取りうるので、例えば、水の排出は行わないで、下水管Ｇの止水のみを行いたい場合に対応できるようになる。
【００３８】
このように構成される止水栓装置１においては、副管１８を備えた第二主管３Ｂを第一主管３Ａに装着するので、従来の既存の止水栓装置の貫通管を第一主管３Ａとすれば、この既存の止水栓装置を本実施の形態に係る止水栓装置１に容易に改変する事ができ、そのため、汎用性を増加させることができる。また、第一主管３Ａと第二主管３Ｂとの間に延長パイプ８(図９)を設けることができるので、主管３の長さを容易に変えることができることから、設置条件に合わせて止水栓装置１を用いることができ、この点でも汎用性を増加させることができる。
【００３９】
また、実施の形態に係る作業用補助システムＳにおいては、吸入口２１及び吐出口２２を有したポンプ２０及びポンプ２０を駆動する駆動源が地上に設置されている。ポンプ２０は、圧縮空気により作動されるダイヤフラムポンプで構成されている。また、駆動源は、軽油などの液体燃料で駆動されダイヤフラムポンプ２０に圧縮空気を供給するコンプレッサ３０で構成されている。
図７に示すように、ダイヤフラムポンプ２０は、往復動可能なロッド２３の両端に第一ダイヤフラム２３ａ及び第二ダイヤフラム２３ｂを夫々設け、第一ダイヤフラム２３ａ及び第二ダイヤフラム２３ｂのロッド２３側にコンプレッサ３０からの圧縮空気の流入及び排気を行う第一エア室２４ａ及び第二エア室２４ｂを夫々設け、ロッド２３の往復動に連動する切換え弁２４により、第一エア室２４ａへの圧縮空気の流入時に第二エア室２４ｂの空気を排気し、第二エア室２４ｂへの圧縮空気の流入時に第一エア室２４ａの空気を排気してロッド２３を往復動させる空気駆動部２５を設けて構成されている。
【００４０】
更に、ダイヤフラムポンプ２０は、第一ダイヤフラム２３ａ及び第二ダイヤフラム２３ｂの外側に吸入口２１からの水の吸入及び吐出口２２からの水の吐出を行う第一液体室２６ａ及び第二液体室２６ｂを夫々設け、水の吸入経路及び吐出経路に設けられ水圧に連動する切換え弁２７ａ，２７ｂ，２７ｃ，２７ｄにより、ロッド２３の往動時に、第一ダイヤフラム２３ａにより第一液体室２６ａを拡大して吸入口２１からの水を吸入する一方、第二ダイヤフラム２３ｂにより第二液体室２６ｂを縮小して吐出口２２から水を吐出し、ロッド２３の復動時に、第二ダイヤフラム２３ｂにより第二液体室２６ｂを拡大して吸入口２１からの水を吸入する一方、第一ダイヤフラム２３ａにより第一液体室２６ａを縮小して吐出口２２から水を吐出する吸入吐出機構２８を設けて構成されている。
【００４１】
そして、図１乃至図４に示すように、止水栓装置１の主管３の出口とポンプ２０の吸入口２１とを始点マンホールＭ（Ｘ）の開口を通る吸入パイプ３１で接続し、ポンプ２０の吐出口２２に排出パイプ３２を接続し、この排出パイプ３２の出口端３２ａを終点マンホールＭ（Ｙ）より下流側の下水管Ｇに水が流れるように配置している。
【００４２】
次に、本作業用補助システムＳを用いた下水管施設の作業方法について説明する。図１に示すように、設定した作業区間において、マンホールＭや下水管Ｇに対して、例えば、点検や清掃作業を行ったり補修や交換等の作業を行なう場合には、先ず、始点マンホールＭ（Ｘ）に接続された上流側の下水管Ｇ（Ｘ）の開口部Ｇｂから止水栓装置１を挿入する。止水本体２に空気を供給して拡径して開口部Ｇｂ側に嵌着する。そして、地上に設置したポンプ２０と主管３の出口とを始点マンホールＭ（Ｘ）を通して吸入パイプ３１で接続する。そして、主管開閉バルブＶａを開にし、副管開閉バルブＶｂを閉にし（図６の（Ｓ２）に設定）、ポンプ２０を駆動する。この場合、始点マンホールＭ（Ｘ）に接続された上流側の下水管Ｇ（Ｘ）に流れる水は吸入パイプ３１を通ってポンプ２０で吸引され、排出パイプ３２を通って排出され、終点マンホールＭ（Ｙ）より下流側の下水管Ｇ（Ｙ）に流される。そのため、作業区間には水が流れないので、水の影響を受けることなく作業を行うことができる。
【００４３】
また、この場合、ポンプ２０を圧縮空気により作動されるダイヤフラムポンプ２０で構成しているので、従来のようなギヤポンプやベーンポンプに比較して、吸入する水中に混入したエアの影響により、吸入不良を生じる事態を抑制することができ、安定した運転を行うことができるようになる。そのため、ポンプ２０が停止して上流側で水が溢れ出す事態を抑制できる。また、ダイヤフラムポンプ２０なので、その始動の際も、ポンプ２０側から所謂呼び水を注入して吸入パイプ３１に水を満たしてポンプ２０を始動させることを行わなくても良くなり、作業が煩雑になってしまう事態を防止することができる。更に、駆動源を液体燃料で駆動されるコンプレッサ３０で構成したことから、電気を使用しないで水の吸入，排出を行うことができるので、漏電の懸念を払拭することができ、安全性を向上させることができる。
【００４４】
また、補修等の作業においては、その作業が数日に亘ることがあり、その場合には、夜間などに作業の中断期間を設ける。図２に示すように、この中断の際は、作業員により、ポンプ２０を停止するとともに、例えば、止水栓装置１の副管１８に導出パイプ３３を接続して、この導出パイプ３３の出口端３３ａを始点マンホールＭ（Ｘ）に接続される下流側の下水管Ｇの上流側開口部Ｇａを通して下流側の下水管Ｇの下流側開口部Ｇｂ側に配置し、若しくは、下流側の下水管Ｇの下流側開口部Ｇｂを超えて更に下流側に配置する。即ち、導出パイプ３３の出口端３３ａを始点マンホールＭ（Ｘ）より下流側の下水管Ｇを通して作業に係る部位よりも下流側に配置する。図２では、下流側の下水管Ｇの下流側開口部Ｇｂ近傍に配置した例を示す。
【００４５】
この状態で、主管開閉バルブＶａを開に保持し、副管１８の副管開閉バルブＶｂを開にし（図６の（Ｓ４）に設定）、あるいは、主管開閉バルブＶａを閉にして副管１８の副管開閉バルブＶｂを開にし（図６の（Ｓ３）に設定）する。これにより、図２に示すように、止水栓装置１を設けた下水管Ｇの水が、作業に係る部位よりも下流側に流れるようになる。このため、ポンプ２０を停止しても、止水栓装置１を設けた下水管Ｇの水を作業部位に影響を与えることなく下流側に流すことができる。そのため、常時ポンプ２０を作動させておく場合に比較して、騒音の問題がなく、また、ポンプ２０の故障によって上流側で水が溢れ出す事態もなく、安全に作業の中断を行うことができる。
【００４６】
そして、この中断作業は、副管１８の副管開閉バルブＶｂを開にする操作によるので、従来のように止水栓装置１から水が噴き出して作業員に振り掛ることがなく、そのため、作業が極めてやり易くなり、作業性が向上させられる。
また、作業を再開するときには、副管１８の副管開閉バルブＶｂを閉にして、導出パイプ３３を取り外し、それから、ポンプ２０を駆動する。この場合も、副管１８の副管開閉バルブＶｂを閉にする操作によるので、従来のように止水栓装置１から水が噴き出して作業員に振り掛ることがなく、そのため、作業が極めてやり易くなり、作業性が向上させられる。
【００４７】
補修等の作業が終了したならば、ポンプ２０を停止し、止水栓装置１を取り外す。この場合には、先ず、止水栓装置１の副管１８に導出パイプ３３を接続して、この導出パイプ３３の出口端３３ａを始点マンホールＭ（Ｘ）より下流側の下水管Ｇに配置し、あるいは、条件によっては導出パイプ３３を接続することなく、副管１８の副管開閉バルブＶｂを開にする。これにより、止水栓装置１を設けた下水管Ｇの水を下流側に流すことができ、その水位を下げることができる。次に、止水栓装置１の止水本体２を縮径し開口部Ｇｂ側の嵌着を解除し、止水栓装置１を下水管Ｇから取り外す。この場合、下水管Ｇの水位を下げてから止水栓装置１を取り外すので、溜まっていた上流側の水がいっきに下流側に流れ出すことがなく、そのため、作業員の安全が確保される。また、副管１８の副管開閉バルブＶｂを開にして下水管Ｇの水位を下げるので、従来のように、止水栓装置１から水が噴き出して作業員に振り掛ることがなく、そのため、作業が極めてやり易くなり、作業性が向上させられる。
【００４８】
図８には、始点マンホールＭ（Ｘ）に上流側の下水管Ｇ（Ｘ）が複数接続された下水管施設における作業用補助システムＳを示す。これは、各複数の下水管Ｇの下流側開口部Ｇｂ側に、夫々、止水栓装置１を設け、各止水栓装置１のうち何れか１つの止水栓装置１をメイン止水栓装置１（Ａ）とし、他をサブ止水栓装置１（Ｂ）として構成し、メイン止水栓装置１（Ａ）の主管３とポンプ２０とを接続し、メイン止水栓装置１（Ａ）の主管３の出口側にサブ止水栓装置１（Ｂ）の主管３の出口を接続する接続管４０を設け、始点マンホールＭ（Ｘ）に接続された複数の上流側の下水管Ｇ（Ｘ）の水の排出を１台のポンプ２０で行うことを可能にしている。
接続管４０は、上記出口管１７に代わる三方管４１と、三方管４１の一つの口とサブ止水栓装置１（Ｂ）の主管３の出口とを接続する連結パイプ４２とから構成されている。各接続は上記と同様のアダプタ１０とカプラ１１による。
【００４９】
これにより、ポンプ２０の駆動時に、メイン止水栓装置１（Ａ）及びサブ止水栓装置１（Ｂ）の副管１８の副管開閉バルブＶｂを夫々閉にし、メイン止水栓装置１（Ａ）及びサブ止水栓装置１（Ｂ）の主管開閉バルブＶａを開にして、ポンプ２０によって始点マンホールＭ（Ｘ）より上流側の下水管Ｇ（Ｘ）内の水を吸入し、終点マンホールＭ（Ｙ）より下流側の下水管Ｇに水を流す。この場合、始点マンホールＭ（Ｘ）に、上流側の下水管Ｇ（Ｘ）が複数接続されていて、複数の止水栓装置１を用いても、１台のポンプ２０で、水の吸引，排出を行うことができるので、システムを簡略化し、省力化を図ることができる。
【００５０】
また、ポンプ２０の停止時には、例えば、メイン止水栓装置１（Ａ）の副管１８の出口に導出パイプ３３を接続し、導出パイプ３３の出口端を始点マンホールＭ（Ｘ）に接続される下流側の下水管Ｇの上流側開口部Ｇａを通してこの下流側の下水管Ｇの下流側開口部Ｇｂ側に配置し、若しくは、下流側の下水管Ｇの下流側開口部Ｇｂを超えて更に下流側に配置し、サブ止水栓装置１（Ｂ）の副管１８の副管開閉バルブＶｂを閉にしたまま、メイン止水栓装置１（Ａ）の副管１８の副管開閉バルブＶｂを開にし、始点マンホールＭ（Ｘ）に接続された複数の上流側の下水管Ｇ（Ｘ）の水をメイン止水栓装置１（Ａ）の副管１８に集約して終点マンホールＭ（Ｙ）より下流側の下水管Ｇに水を流すようにする。そのため、システムが簡略化し、水の排出効率を向上させることができる。他の作用，効果は上記と同様である。
【００５１】
図９には、始点マンホールＭ（Ｘ）の中間に上流側の下水管Ｇ（Ｘ）が接続された下水管施設における作業用補助システムＳを示す。この下水管Ｇ（Ｘ）はその開口部Ｇｂ側に入口を有し始点マンホールＭ（Ｘ）の下端に出口を有した分岐管Ｇｃが分岐している。このシステムにおいて、止水栓装置１は、上記と異なって主管開閉バルブＶａが設けられていない。また、第一主管３Ａと第二主管３Ｂとの間に延長パイプ８を設けている。延長パイプ８は、一端にカプラ１１を有し他端にアダプタ１０を有しており、第一主管３Ａ及び第二主管３Ｂに接続される。そして、止水栓装置１は、下水管Ｇの分岐管Ｇｃの入口よりも奥に設置される。この場合、延長パイプ８によって主管３の長さを容易に変えることができることから、設置条件に合わせて止水栓装置１を用いることができ、汎用性を増加させることができる。この例では、主管開閉バルブＶａが設けられていないが、上記と同様の作用，効果を奏する。
【００５２】
尚、上記の実施の形態において、主管３や吸入パイプ等の接続は、アダプタ１０及びカプラ１１等を用いて行っているが、必ずしもこれに限定されるものではなく、例えば、雄ネジと雌ネジによる接続など、適宜変更して差し支えない。また、上記の実施の形態において、主管開閉バルブＶａは、図９に示す例のように特に設けなくても良いが、設ける方が、例えば、水の排出は行わないで、下水管Ｇの止水のみを行いたい場合に対応できる等、汎用性が増すので望ましい。
【符号の説明】
【００５３】
Ｓ  下水管施設の作業用補助システム
Ｍ  マンホール
Ｍ（Ｘ）  始点マンホール
Ｍ（Ｙ）  終点マンホール
Ｇ  下水管
Ｇ（Ｘ）  始点マンホールに接続される上流側の下水管
Ｇ（Ｙ）  終点マンホールに接続される下流側の下水管
Ｇａ  上流側開口部
Ｇｂ  下流側開口部
Ｇｃ  分岐管
１  止水栓装置
２  止水本体
３  主管
３Ａ  第一主管
３Ｂ  第二主管
５  袋体
６  ノズル
７  空気管
８  延長パイプ
１０  アダプタ
１１  カプラ
１５  一方部
１６  他方部
１７  出口管
１８  副管
Ｖａ  主管開閉バルブ
Ｖｂ  副管開閉バルブ
２０  ダイヤフラムポンプ
２１  吸入口
２２  吐出口
３０  コンプレッサ（駆動源）
３１  吸入パイプ
３２  排出パイプ
３３  導出パイプ
４０  接続管
４１  三方管
４２  連結パイプ
【図１】
0005456811.tif 000002
【図２】
0005456811.tif 000003
【図３】
0005456811.tif 000004
【図４】
0005456811.tif 000005
【図５】
0005456811.tif 000006
【図６】
0005456811.tif 000007
【図７】
0005456811.tif 000008
【図８】
0005456811.tif 000009
【図９】
0005456811.tif 000010
【図１０】
0005456811.tif 000011